(57)【要約】【課題】動態画面に対して詳細な検索ができ、かつ使用者が動態画像を処理し、値を入力して将来の検索に用いることができる検索向け動態画像処理方法と、他の多くの使用者と値を入力する処理を経た動態画像を利用して共有できるようにするウェブサーバの提供。【解決手段】本発明の検索向け動態画像処理方法は、使用者がコンピュータまたはウェブサーバ１から動態画像２０に対して複数の静止画像３０のキャプチャを行い、さらに少なくとも１つの静止画像３０に対して文字情報４０を入力し、この文字情報４０を検索可能な情報として用い、動態画像２０が検索されるとき、動態画像２０の特定部分の内様を検索で見つけ出すことができるようにする。【選択図】図５
2010262620.tif 000002
【特許請求の範囲】
【請求項１】
使用者がコンピュータまたはウェブサーバにより動態画像に対し値を入力する処理を行い、将来前記動態画像を便利に検索できるようにするための検索向け動態画像処理方法であって、前記方法が、
前記動態画像に対するキャプチャコマンドを受信する手順と、
前記キャプチャコマンドに基づき前記動態画像からキャプチャした複数の静止画像を生成する手順と、
前記使用者が入力し、かつ前記複数の静止画像のうち１つの静止画像に対応する少なくとも１つの文字情報を受信する手順と、
前記動態画像に対応した動態画像データベースを形成する手順を含み、
そのうち、前記動態画像データベースが、
前記複数の静止画像と、
各静止画像が前記動態画像において出現する時間のタイムスタンプと、
前記少なくとも１つの文字情報の記録を含み、
上述の手順により、前記使用者がキーワードを入力し、前記キーワードを前記動態画像データベースと照合し、前記キーワードに対応する静止画像を検索することを特徴とする、検索向け動態画像処理方法。
【請求項２】
請求項１に記載の検索向け動態画像処理方法であって、そのうち前記方法がさらに操作インターフェースを提供し、前記操作インターフェースが、
前記動態画像の再生に用いる動態画像再生区域と、
前記複数の静止画像の表示に用いる静止画像表示区域と、
前記使用者に前記少なくとも１つの文字情報を入力させる文字情報表示区域を含むことを特徴とする、検索向け動態画像処理方法。
【請求項３】
請求項２に記載の検索向け動態画像処理方法であって、そのうち、
前記静止画像表示区域が複数の第一方形区域を含み、各第一方形区域が各静止画像の表示に用いられ、
前記文字情報表示区域が複数の第二方形区域を含み、各第二方形区域が各静止画像に対応する文字情報の表示に用いられることを特徴とする、検索向け動態画像処理方法。
【請求項４】
請求項３に記載の検索向け動態画像処理方法であって、そのうち各第一方形区域とそれに対応する各第二方形区域が左右に排列されることを特徴とする、検索向け動態画像処理方法。
【請求項５】
請求項４に記載の検索向け動態画像処理方法であって、そのうちいずれか１つの前記静止画像がクリックされると、前記動態画像の再生を行い、前記動態画像の再生開始の時間が、クリックされた前記静止画像が前記動態画像に出現する時間であることを特徴とする、検索向け動態画像処理方法。
【請求項６】
複数の使用者がネットワークを介して動態画像の処理と検索を行うために用いるウェブサーバであって、前記ウェブサーバがプロセッサとメモリを含み、前記メモリにソフトウェアプログラムが保存され、前記プロセッサに前記ソフトウェアプログラムを実行させて、
動態画像のアップロードを接受して前記動態画像を前記メモリ中に保存し、
前記動態画像に対するキャプチャコマンドを受信し、
前記キャプチャコマンドに基づき前記動態画像からキャプチャした複数の静止画像を生成し、
前記使用者が入力し、かつ前記複数の静止画像のうち１つの静止画像に対応する少なくとも１つの文字情報を受信し、
前記動態画像に対応した動態画像データベースを形成し、前記メモリ中に保存する、というメカニズムを完了させ、そのうち、前記動態画像データベースが、
前記複数の静止画像と、
各静止画像が前記動態画像において出現する時間のタイムスタンプと、
前記少なくとも１つの文字情報の記録を含み、
上述の手順により、前記使用者がキーワードを入力し、前記キーワードを前記動態画像データベースと照合し、前記キーワードに対応する静止画像を検索することを特徴とする、ウェブサーバ。
【請求項７】
請求項６に記載のウェブサーバであって、そのうち、前記ウェブサーバがさらに操作インターフェースを提供し、前記操作インターフェースが、
前記動態画像の再生に用いる動態画像再生区域と、
前記複数の静止画像の表示に用いる静止画像表示区域と、
前記使用者に前記少なくとも１つの文字情報を入力させる文字情報表示区域を含むことを特徴とする、ウェブサーバ。
【請求項８】
請求項７に記載のウェブサーバであって、そのうち、
前記静止画像表示区域が複数の第一方形区域を含み、各第一方形区域が各静止画像の表示に用いられ、
前記文字情報表示区域が複数の第二方形区域を含み、各第二方形区域が各静止画像に対応する文字情報の表示に用いられることを特徴とする、ウェブサーバ。
【請求項９】
請求項８に記載のウェブサーバであって、そのうち各第一方形区域とそれに対応する各第二方形区域が左右に排列されることを特徴とする、ウェブサーバ。
【請求項１０】
請求項９に記載のウェブサーバであって、そのうちいずれか１つの前記静止画像がクリックされると、前記動態画像の再生を行い、前記動態画像の再生開始の時間が、クリックされた前記静止画像が前記動態画像に出現する時間であることを特徴とする、ウェブサーバ。
【請求項１１】
請求項１０に記載のウェブサーバであって、そのうち前記メモリに複数の異なる使用者が構築した動態画像データベースが保存され、前記キーワードで前記複数の異なる使用者が構築した前記動態画像データベースを検索できることを特徴とする、ウェブサーバ。
【請求項１２】
請求項１１に記載のウェブサーバであって、そのうち前記プロセッサが前記ソフトウェアプログラムを実行するとき、さらに前記使用者が前記キーワードを入力するために用いる検索インターフェースを提供するというメカニズムを含むことを特徴とする、ウェブサーバ。
【請求項１３】
請求項１２に記載のウェブサーバであって、そのうち前記プロセッサが前記ソフトウェアプログラムを実行するとき、さらに前記キーワードに対応する単一または複数の静止画像を表示する検索結果インターフェースを提供するというメカニズムを含むことを特徴とする、ウェブサーバ。
【請求項１４】
使用者がコンピュータまたはウェブサーバにより動態画像に対し値を入力する処理を行い、将来前記動態画像を便利に検索できるようにする、動態画像に対して値を入力する処理を行う方法であって、前記方法が、
操作インターフェースを提供する手順と、
使用者が少なくとも１つのキーワードを入力するために用いる検索結果インターフェースを提供する手順を含み、そのうち、
前記操作インターフェースが、
前記動態画像の再生に用いる動態画像再生区域と、
前記動態画像からキャプチャされた複数の静止画像の表示に用いる静止画像表示区域と、
使用者が前記少なくとも１つの文字情報を入力するために用いる文字情報表示区域を含み、そのうち、前記少なくとも１つの文字情報が複数の静止画像のうちのいずれかの静止画像に対応することを特徴とする、動態画像に対して値を入力する処理を行う方法。
【請求項１５】
請求項１４に記載の項所述の動態画像に対して値を入力する処理を行う方法であって、そのうち、
前記静止画像表示区域が複数の第一方形区域を含み、各第一方形区域が各静止画像の表示に用いられ、
前記文字情報表示区域が複数の第二方形区域を含み、各第二方形区域が各静止画像に対応する文字情報の表示に用いられることを特徴とする、動態画像に対して値を入力する処理を行う方法。
【請求項１６】
請求項１５に記載の動態画像に対して値を入力する処理を行う方法であって、そのうち各第一方形区域とそれに対応する各第二方形区域が左右に排列されることを特徴とする、動態画像に対して値を入力する処理を行う方法。
【請求項１７】
請求項１６に記載の動態画像に対して値を入力する処理を行う方法であって、そのうちいずれか１つの前記静止画像がクリックされると、前記動態画像の再生を行い、前記動態画像の再生開始の時間が、クリックされた前記静止画像が前記動態画像に出現する時間であることを特徴とする、動態画像に対して値を入力する処理を行う方法。
【発明の詳細な説明】
【技術分野】
【０００１】
本発明は動態画像の検索技術に関する。
【背景技術】
【０００２】
映画やビデオ、ＭＴＶ、アニメなどの動態画像が生活の中で占める重要性は非常に大きく、ＹｏｕＴｕｂｅサイトのアクセス数は人々の動態画像に対するニーズと興味を説明している。しかしながら、動態画像を検索するときは、基本的に動態画像の名称、または使用者が特別にある動態画像に対し別途追加した注記の注釈を検索できるのみである。
【０００３】
動態画像（Ｄｙｎａｍｉｃ  Ｐｉｃｔｕｒｅ）の中の内容は非常に多く、静止画像（Ｓｔｉｌｌ  Ｐｉｃｔｕｒｅ）のように容易に描写できないため、Ｇｏｏｇｌｅ、ＰＣＨｏｍｅ、Ｙａｈｏｏ等の大規模検索サイトは静止画像（例えば「画像」、「写真」）に対する検索しか行っておらず、検索方法はキーワード入力によって「画像」や「写真」の名称またはこれら「画像」や「写真」に付加された注釈を検索するという方法である。
【０００４】
動態画像について、静止画像の方法を模倣して、例えば動態画像に注釈を加え、検索できるのが動態画像の名称のみではないにした場合、これは動態画像の検索に役立つものの、その有用性は非常に限られている。例えば、有名な映画「北極のナヌー」（Ａｒｃｔｉｃ  Ｔａｌｅ、参考ホームページ：ｈｔｔｐ：／／ｗｗｗ.ａｒｃｔｉｃｔａｌｅｍｏｖｉｅ.ｃｏｍ）についてみると、静止画像の方法を模倣して、例えば「北極熊、氷山、アザラシ、鯨、北極狐、ナヌー（ｎａｎｕ、  ｔｈｅ  ｎａｍｅ  ｏｆ  ｔｈｅ  ｌｉｔｔｌｅ  ｐｏｌａｒ  ｂｅａｒ）、環境保護、感動、かわいそう、涙、地球温暖化」等のその他注釈を加えることができる。そのうち、注釈の「北極熊、氷山、アザラシ、鯨、北極狐、ナヌー」はこの映画に登場する具体的なものを形容しており、「環境保護、地球温暖化」はこの映画が訴求する目的を描写している。「感動、かわいそう、涙」はこの映画のある部分を見たときに感じることであり、例えばこの映画で全世界を最も感動させたのは、主役「ナヌー」が１つの流氷の上に孤独に立ちつくし（地球温暖化のため）、陸地が見えずにどうしたらいいか分からず、餓死の脅威に直面する場面である。
【０００５】
例えば使用者が「北極狐」の動態画面を見つけたいとき、使用者は「北極狐」というキーワードを入力した後、この「北極のナヌー」という映画を見つけることができるが、「北極狐」の画面を見つけるために使用者はさらに時間をかけなければならない。これこそが、動態画像で静止画像の検索法を模倣することが不適切である理由である。
【０００６】
この欠点を改善するため、米国特許公開第２００４００４７５８９号（Ｍｅｔｈｏｄ  ｆｏｒ  ｃｒｅａｔｉｎｇ  ｃａｐｔｉｏｎ−ｂａｓｅｄ  ｓｅａｒｃｈ  ｉｎｆｏｒｍａｔｉｏｎ  ｏｆ  ｍｏｖｉｎｇ   ｐｉｃｔｕｒｅ  ｄａｔａ,   ｓｅａｒｃｈｉｎｇ  ａｎｄ  ｒｅｐｅａｔｉｎｇ  ｐｌａｙｂａｃｋ  ｏｆ  ｍｏｖｉｎｇ  ｐｉｃｔｕｒｅ   ｄａｔａ  ｂａｓｅｄ  ｏｎ  ｓａｉｄ  ｓｅａｒｃｈ  ｉｎｆｏｒｍａｔｉｏｎ,   ａｎｄ  ｒｅｐｒｏｄｕｃｔｉｏｎ  ａｐｐａｒａｔｕｓ  ｕｓｉｎｇ  ｓａｉｄ  ｍｅｔｈｏｄ）は、動態画像の字幕の検索を開示しており、字幕に出現する時間を利用して対応する映像を見つけるものである。例えば、使用者が「北極のナヌー」を見ているとき、使用者が「北極狐」と入力すると、「北極狐」を表示している動態画面を迅速に見つけ出すことができる。これは、「北極のナヌー」に「北極狐」という字幕があるためである。このため、米国特許公開第２００４００４７５８９号は動態画面に対してより詳細な検索を提供できる。しかしながら、この方法には次のような問題がある。
【０００７】
動態画像と分離された「字幕」データが必要であり、例えば特許第２００４００４７５８９号はＤＶＤフォーマットに合う映画を例としている。しかし、一般のインターネットユーザがネットワーク（例：ＹｏｕＴｕｂｅ）にアップロードするビデオはほとんどすべて分離された「字幕」データはないため、この特許第２００４００４７５８９号はインターネットを通した映像検索は達成が困難である。
【０００８】
この特許第２００４００４７５８９号は字幕に文字があるもののみ検索が可能であり、例えば主役「ナヌー」が１つの流氷の上に孤独に立ちつくしている場面を迅速に探そうとしても見つけ出すことは難しい。これは、その画面に特に思いつく字幕がないためである。
【０００９】
また、動態画像中の内容の多くは字幕で形容できるものではなく、使用者が動態画像に対して感じることが重点であることも往々にしてあり、主役「ナヌー」が１つの流氷の上に孤独に立ちつくしている画面が最も感動を受ける部分であるとか、「ナヌー」が春に雪洞から這い出す様子が非常にかわいいと感じさせる画面であるなど、一般に人々は動態画像に対して１つや３つ、あるいは５つなど特別な感情を抱く画面があるが、現在提供されている技術には使用者がそれらを迅速に検索できるソリューションが提示されていない。このため、上述の欠点は改善の必要がある。
【先行技術文献】
【特許文献】
【００１０】
【特許文献１】米国特許公開第２００４００４７５８９号明細書
【発明の概要】
【発明が解決しようとする課題】
【００１１】
本発明の主な目的は、動態画面に対して詳細な検索ができ、かつ使用者が入力することができる、検索向け動態画像処理方法を提供することにある。
【００１２】
本発明の別の目的は、使用者が動態画面に対して値を入力する処理を行い将来の検索を便利にすることができる、便利な操作インターフェースを提供することにある。「北極のナヌー」の実際の例についてみると、本発明の技術を応用すれば非常に迅速に主役「ナヌー」が１つの流氷の上に孤独に立ちつくしている画面を見つけ出すことができる。
【００１３】
本発明のさらに別の目的は、使用者が動態画像を処理し、かつ動態画像を検索でき、さらに他の多くの使用者と値を入力する処理を経た動態画像を利用して共有できるようにする、ウェブサーバを構築し、提供することにある。
【課題を解決するための手段】
【００１４】
上述の目的を達するため、本発明の検索向け動態画像処理方法は、使用者がコンピュータまたはウェブサーバを使用して、動態画像に対し値を入力する処理を行い、将来その動態画像を便利に検索できるようにする方法であって、次の手順を含む。前記動態画像に対するキャプチャコマンドを受信する。前記キャプチャコマンドに基づき複数の静止画像を生成する。そのうち、前記複数の静止画像は前記動態画像からキャプチャしたものである。前記使用者が入力する少なくとも１つの文字情報を受信する。そのうち、前記少なくとも１つの文字情報が前記複数の静止画像のうち１つの静止画像に対応する。動態画像データベースを形成する。そのうち、前記動態画像データベースは前記動態画像に対応し、前記動態画像データベースが、前記複数の静止画像と、各静止画像が前記動態画像において出現する時間のタイムスタンプと、前記少なくとも１つの文字情報の記録を含む。
【００１５】
上述の手順により、前記使用者がキーワードを入力し、前記キーワードを前記動態画像データベースと照合し、前記キーワードに対応する静止画像を検索する。
【００１６】
実施例においては、使用者の操作に便利なように、前記方法は操作インターフェースを提供し、前記操作インターフェースは動態画像再生区域、静止画像表示区域、及び文字情報表示区域を含む。
【発明の効果】
【００１７】
本発明の検索向け動態画像処理方法によれば、使用者がコンピュータまたはウェブサーバを使用して、動態画像に対し値を入力する処理を行い、将来その動態画像を便利に検索することができる。
【図面の簡単な説明】
【００１８】
【図１】本発明の使用イメージ図である。
【図２】本発明の動態画像処理のフローチャートである。
【図３】本発明の操作インターフェースの実施例である。
【図４】本発明の操作インターフェースの実施例であり、複数の静止画像のキャプチャを表す。
【図５】本発明の操作インターフェースの実施例であり、文字情報の入力を表す。
【図６】本発明の操作インターフェースの実施例であり、複数の静止画像を表示した画面を表す。
【図７】本発明の動態画像データベースの実施例である。
【図８】本発明の動態画像検索のフローチャートである。
【図９】本発明の検索インターフェースの実施例である。
【図１０】本発明の検索インターフェースの実施例であり、検索条件に合致する動態画像を表す。
【図１１】本発明の検索後の操作インターフェースの実施例であり、キーワードを際立たせた表示を表す。
【発明を実施するための形態】
【００１９】
以下、本発明の技術内容を最良の実施例に基づき具体的に説明する。
【００２０】
図１に本発明の使用イメージ図を示す。本発明のウェブサーバ１０は、複数の使用者がパーソナルコンピュータ９１を通してネットワーク９０に接続し、動態画像の処理と検索を行うために用いられる。ウェブサーバ１０はプロセッサ１１とメモリ１２を含み、メモリ１２中にソフトウェアプログラム１３が保存され、前記プロセッサ１１に前記ソフトウェアプログラム１３を実行させて動態画像の処理と検索の目的を達する。当然、前記ソフトウェアプログラム１３は前記パーソナルコンピュータ９１ａのメモリ１２ａにインストールされ、前記プロセッサ１１ａが前記ソフトウェアプログラム１３を実行して、使用者が自身のパーソナルコンピュータ９１ａを利用し、動態画像の処理と検索を行うようにすることもできる。
【００２１】
以下、図２の動態画像処理のフローチャートと共に、図３〜図７を参照する。注意が必要なのは、図２のフローチャートがウェブサーバ１０で動態画像処理を行う実施例である点である。
【００２２】
手順２０１：
動態画像２０のアップロード（ｕｐｌｏａｄ）を接受し、前記動態画像２０をメモリ１２中に保存する。
【００２３】
図３に示すように、本発明の操作インターフェース６０はまず左側の半分を表示する。操作インターフェース６０は動態画像再生区域６２、動態画像処理のための再生制御ボタン６２１、キャプチャコマンド入力区域６２２、および動態画像アップロード操作区域６２３を含む。
【００２４】
使用者は動態画像２０アップロード操作区域６２３を用いて自身のパーソナルコンピュータ９１中に保存された動態画像２０をウェブサーバ１０にアップロードする（通常はファイルが保存されたディレクトリとファイル名を指定する）。ウェブサーバ１０は動態画像２０を接受した後、前記動態画像２０をメモリ１２中に保存し、かつ前記動態画像再生区域６２に表示する。前記動態画像再生区域６２の下方には再生制御ボタン６２１があり、使用者は前記再生制御ボタン６２１を用いて動態画像２０の再生を操作できる。
【００２５】
手順２０２：
前記動態画像２０に対するキャプチャコマンドを受信する。
【００２６】
前記動態画像再生区域６２下方にキャプチャコマンド入力区域６２２を有し、前記キャプチャコマンド入力区域６２２は使用者に動態画像２０から静止画像３０をキャプチャする方式を決定させる。
【００２７】
キャプチャの方式は図３〜図５に示す３種類の方式があり、第一方式は一定秒数毎にキャプチャする方式６２２ａで、例えば十分間のビデオの場合、３０秒毎に１枚の静止画像をキャプチャすれば、２０枚の静止画像３０をキャプチャできる。第二方式は使用者が静止画像３０のキャプチャ枚数を決定する方式６２２ｂで、例えばソフトウェアプログラム１３がどのくらいの時間間隔に１枚静止画像３０をキャプチャするかを自動計算させたり、ランダムにキャプチャさせたりすることができる。第三方式は、完全に使用者が決定する方式で、動態画像２０の再生時、使用者は隨時カメラ機能６２２ｃを押して映像をキャプチャすることができる。動態画像２０から映像をキャプチャする技術は従来技術であるため、ここでは説明を省略する。
【００２８】
手順２０３：
キャプチャコマンドに基づき複数の静止画像３０を生成する。そのうち、前記複数の静止画像３０は、前記動態画像２０からキャプチャされたものである。
【００２９】
図４に示すように、例えば手順２０２で３０秒毎に１枚キャプチャする方式とすると、複数の静止画像３０は３０秒毎に１枚の静止画像３０を操作インターフェース６０の右側の静止画像表示区域６３に取り込む。前記静止画像表示区域６３は複数の第一方形区域６３１を含み、各第一方形区域６３１は各静止画像３０の表示に用いられ、基本的に複数の静止画像３０が時間順序に従って上から下に配列される。
【００３０】
また、操作インターフェース６０の右側は文字情報表示区域６４を含み、前記文字情報表示区域６４は複数の第二方形区域６４１を含み、各第二方形区域６４１は一対一の方式で各第一方形区域６３１の右側に配置される。ここで注意が必要なのは、方形区域６３１、６４１が枠線のある、または枠線がない枠状のボックスから構成される点である。
【００３１】
手順２０４：
使用者が入力する少なくとも１つの文字情報４０を接受する。そのうち、少なくとも１つの文字情報４０が複数の静止画像３０のうちの１つの静止画像３０に対応する。
【００３２】
使用者は複数の静止画像３０を見た後、興味がある静止画像３０について対応する第二方形区域６４１に文字情報４０（注釈や特徴、感想等の文字）を入力することができる。例えば図５に示すように、２つの静止画像３０に対応する第二方形区域６４１に「Ｂｉｒｄ  Ｆｌｙｉｎｇ」及び「Ｒｉｖｅｒ」とそれぞれ入力する。
【００３３】
使用者が静止画像３０のみを見たい場合、「Ｒｅｖｉｅｗ  Ａｌｌ（全部表示）」ボタン６３２をクリックすると、図６に示すように、一度により多くの静止画像３０を見ることができる。元の画面に戻りたい場合は、「Ｂａｃｋ（戻る）」ボタン６３３をクリックすると、図５の画面に戻る。
【００３４】
手順２０５：
動態画像データベース７０を形成してメモリ１２中に保存する。そのうち、前記動態画像データベース７０は前記動態画像２０に対応する。
【００３５】
処理を経た各動態画像２０（静止画像３０のキャプチャ、またはさらに入力文字情報４０を含む）は動態画像データベース７０を形成し、図７に示すように、前記動態画像データベース７０は静止画像フィールド７１、再生時間ブックマークフィールド７２、及び文字情報フィールド７３のフィールドを含む。前記静止画像フィールド７１は各静止画像３０のファイルまたはインデックスを記録する。前記再生時間ブックマークフィールド７２は各静止画像３０が前記動態画像２０に出現する時間のタイムスタンプを記録し、前記文字情報フィールド７３は各静止画像３０の手順２０４で入力された文字情報４０を記録する。
【００３６】
各静止画像３０が前記動態画像２０で出現する時間は事実上手順２０３で生成されるため、操作インターフェース６０は使用者が直接いずれかの静止画像３０をクリックすると、前記静止画像３０が出現する時間から前記動態画像２０の再生を開始するよう設計することができる。このため、各静止画像３０をブックマーク（ｂｏｏｋｍａｒｋ）として用いることができる。ここで注意が必要なのは、複数の静止画像３０をブックマーク（ｂｏｏｋｍａｒｋ）とすることは本発明の効果の１つであり、現在一部ＤＶＤ録画再生機もブックマーク（ｂｏｏｋｍａｒｋ）を自己設定できるようになっているが、本発明のように文字検索の機能は備えていない点である。
【００３７】
複数の使用者がウェブサーバ１０を通して膨大な数量の動態画像２０と、各動態画像２０に対応する動態画像データベース７０を構築することができる。前記動態画像データベース７０は使用者が入力する文字情報４０を記録するため、図８〜図１０の検索に関する実施例に示すように、前記動態画像２０に対して検索を行うことができる。
【００３８】
手順８０１：
使用者が検索インターフェース８０に入力したキーワードを接受する。例えば、使用者が入力したキーワードは「Ｂｉｒｄ」とする。
【００３９】
前記検索インターフェース８０は図９に示すとおりである。一般の検索インターフェース８０のように、キーワードを入力するための入力ボックス８１を備えている。図９において、前記入力ボックス８１の上方には、例えば従来の「ウェブ」、「ニュース」、「画像」、「知識」など、異なるデータベースの検索機能があり、本発明の動態画像２０の検索は従来の検索インターフェース８０と共に配置し、前記入力ボックス８１の上方に「動画」の検索を増加することができる。
【００４０】
手順８０２：
動態画像データベース７０と照合する。例えば、前記動態画像データベース７０中のキーワード「Ｂｉｒｄ」と照合する。
【００４１】
手順８０３：
検索結果インターフェース８５が結果を表示する。図１０に示すように、例えば３つの動態画像２０ａに対応する動態画像データベース７０中にキーワード「Ｂｉｒｄ」がある。
【００４２】
例えば、使用者が動態画像２０ａをクリックすると、図１１に示すように操作インターフェース６０に入り、キーワード「Ｂｉｒｄ」を際立たせて表示（異なる色や太字、斜体で表示するなど）して、使用者が容易に注意できるようにする。
【００４３】
上述のように、本発明はその目的、手段、効果のいずれにおいても、従来技術とは異なる特徴を有している。上述のいくつかの実施例は単に説明のための例示であり、本発明の主張する権利範囲は特許請求の範囲に準じ、上述の実施例に限定されないことに注意が必要である。
【符号の説明】
【００４４】
１  ウェブサーバ
１１、１１ａ  プロセッサ
１２、１２ａ  メモリ
１３  ソフトウェアプログラム
２０、２０ａ  動態画像
３０  静止画像
４０  文字情報
６０  操作インターフェース
６２  動態画像再生区域
６２１  再生制御ボタン
６２２  キャプチャコマンド入力区域
６２２ａ  一定秒数毎にキャプチャする方式
６２２ｂ  使用者が静止画像のキャプチャ枚数を決定する方式
６２２ｃ  カメラ機能
６２３  動態画像アップロード操作区域
６３  静止画像表示区域
６３１  第一方形区域 
６３２  「Ｒｅｖｉｅｗ Ａｌｌ（全部表示）」ボタン
６３３  「Ｂａｃｋ（戻る）」ボタン
６４  文字情報表示区域
６４１  第二方形区域
７０  動態画像データベース
７１  静止画像フィールド
７２  再生時間ブックマークフィールド
７３  文字情報フィールド
８０  検索インターフェース
８１  入力ボックス
８５  検索結果インターフェース
９０  ネットワーク
９１、９１ａ  パーソナルコンピュータ
【図１】
2010262620.tif 000003
【図２】
2010262620.tif 000004
【図３】
2010262620.tif 000005
【図４】
2010262620.tif 000006
【図５】
2010262620.tif 000007
【図６】
2010262620.tif 000008
【図７】
2010262620.tif 000009
【図８】
2010262620.tif 000010
【図９】
2010262620.tif 000011
【図１０】
2010262620.tif 000012
【図１１】
2010262620.tif 000013